(57)【要約】【課題】  登録可能入力装置への信号形態の登録の正当性を保証することができるコンテンツ提示システムを提供する。【解決手段】  登録可能リモコン４００が、登録対象キー等に対応する固有リモコン３００のキー等が操作された結果として、固有リモコン３００から送信された操作信号ＯＰ１の形態を、登録対象キー等に対応する信号形態の操作信号ＯＰ２をコンテンツ提示装置２００へ送信する。引き続き、コンテンツ提示装置２００が、利用者に対して指定したキー等が操作された場合の操作信号ＯＰ１の信号形態と、操作信号ＯＰ２の信号形態とを比較して認証を行う。次に、コンテンツ提示装置２００が、認証結果を登録可能リモコン及び利用者に報知する。そして、認証結果が肯定的であった場合に、登録可能リモコン４００が、確定的に登録する。【選択図】  図１
2019220749.tif 000002
【特許請求の範囲】
【請求項１】
コンテンツ提示装置と、少なくとも１つの個別操作入力部に対応して、前記個別操作入力部が操作された場合を含む送信信号の形態を登録可能な登録可能入力装置と、前記コンテンツ提示装置に対応して用意され、前記少なくとも１つの個別操作入力部のそれぞれに対応する固有個別操作入力部を有する固有入力装置と、を備えるコンテンツ提示システムであって、
前記コンテンツ提示装置は、
コンテンツの提示を行うとともに、前記登録可能入力装置又は前記固有入力装置から送信される操作信号とは異なる物理態様で、登録可能入力装置及び利用者に対する報知を行うコンテンツ提示部と、
前記操作信号に基づいて、前記コンテンツ提示部を制御する第１処理制御部と、を備え、
前記登録可能入力装置は、
前記少なくとも１つの個別操作入力部を有する操作入力部と、
前記少なくとも１つの個別操作入力部のそれぞれについて、操作された場合に送信すべき信号形態が登録される登録信号形態保持部と、
前記信号形態の登録処理を行う第２処理制御部と、を備え、
前記第２処理制御部は、前記コンテンツ提示部から送信された報知出力信号により指定された個別操作入力部に対応する固有個別操作入力部が操作された結果として、前記固有入力装置から送信された信号の形態の信号の前記コンテンツ提示装置への送信を制御する第１制御処理を実行し、
前記第１処理制御部は、前記報知出力信号の送信とは異なる態様で利用者に対して操作指定した固有個別操作入力部が操作された場合の操作信号の形態と、前記報知出力信号に対応して前記登録可能入力装置から送信された操作信号の形態とを比較して認証を行い、認証結果を含む前記報知出力信号の前記登録可能入力装置への送信、及び、前記報知出力信号の送信とは異なる態様での利用者に対する前記認証結果の報知を制御する第２制御処理を実行し、
前記第２処理制御部は、前記コンテンツ提示装置から、肯定的な認証結果を含む報知出力信号を受信した場合に、前記固有入力装置から送信された信号の形態を確定的に登録する第３制御処理を実行する、
ことを特徴とするコンテンツ提示システム。
【請求項２】
前記第１処理制御部は、個々の個別操作入力部ごとに、前記認証を行う、ことを特徴とする請求項１に記載のコンテンツ提示システム。
【請求項３】
前記第１処理制御部は、信号形態が新たに登録されるべき全ての個別操作入力部について、一括して前記認証を行う、ことを特徴とする請求項１に記載のコンテンツ提示システム。
【請求項４】
前記認証結果が否定的であった場合には、前記認証結果が否定的であった信号形態について、前記第１処理制御部による認証の結果が肯定的となるまで、前記第１制御処理及び前記第２制御処理が繰り返される、ことを特徴とする請求項１〜３のいずれか一項に記載のコンテンツ提示システム。
【請求項５】
前記コンテンツ提示装置により提示されるコンテンツは、前記登録可能入力装置又は前記固有入力装置への操作入力に応じて進行するゲームコンテンツである、ことを特徴とする請求項１〜４のいずれか一項に記載のコンテンツ提示システム。
【請求項６】
前記操作信号は、赤外線無線信号であり、
前記報知出力信号は、音響信号である、
ことを特徴とする請求項１〜５のいずれか一項に記載のコンテンツ提示システム。
【請求項７】
前記コンテンツ提示部は、音声の出力及び画像表示の少なくとも一方の態様で、利用者への報知を行う、ことを特徴とする請求項１〜６のいずれか一項に記載のコンテンツ提示システム。
【請求項８】
コンテンツ提示装置と、少なくとも１つの個別操作入力部に対応して、前記個別操作入力部が操作された場合を含む送信信号の形態を登録可能な登録可能入力装置と、前記コンテンツ提示装置に対応して用意され、前記少なくとも１つの個別操作入力部のそれぞれに対応する固有個別操作入力部を有する固有入力装置と、を備えるコンテンツ提示システムにおいて使用される登録可能入力装置の個別操作入力部に応じた信号形態の登録方法であって、
前記登録可能入力装置が、前記登録可能入力装置又は前記固有入力装置から送信される操作信号とは異なる物理態様で、前記コンテンツ提示装置から送信された報知出力信号により指定された個別操作入力部に対応する固有個別操作入力部が操作されて、前記固有個別操作入力部から送信された信号の形態の信号の前記コンテンツ提示装置への送信を制御する第１制御処理工程と、
前記コンテンツ提示装置が、前記報知出力信号の送信とは異なる態様で利用者に対して操作指定した固有個別操作入力部が操作された場合の操作信号の形態と、前記報知出力信号に対応して前記登録可能入力装置から送信された操作信号の形態とを比較して認証を行い、認証結果を含む前記報知出力信号の前記登録可能入力装置への送信、及び、前記報知出力信号の送信とは異なる態様での利用者に対する前記認証結果の報知を制御する第２制御処理工程と、
前記登録可能入力装置が、前記固有入力装置から送信された信号の形態を確定的に登録する第３制御処理工程と、
を備えることを特徴とする登録方法。
【発明の詳細な説明】
【技術分野】
【０００１】
本発明は、コンテンツ提示システム及び登録方法に関する。
【背景技術】
【０００２】
従来、利用者の操作入力に応じて進行するゲームコンテンツ等のコンテンツを提示するコンテツ提示システムが広く普及している。このようなコンテンツ提示システムは、通常、音声や画像によりコンテンツを提示するコンテンツ提示装置と、当該コンテンツ提示装置に対する操作入力を利用者が行うために、コンテンツ提示装置に対応して用意されている固有入力装置とを備えている。そして、固有入力装置に配置されたキーやボタン等（以下、「キー等」とも記す）の固有操作入力部を操作することにより、提示対象のコンテンツの進行や切換が行えるようになっている。
【０００３】
ところで、近年、コンテンツ提示装置の１つである映像機器の表示デバイスを利用して遊べるゲームコンテンツ等が提供されている。このゲームコンテンツ等は、当該映像機器に対応して用意された固有入力装置の固有入力部を操作して遊ぶことができる。しかし、固有入力装置は、元々、それに対応するコンテンツ提示装置で提示するコンテンツに適合するようにキー等の形状、数及び配置装置が定まっているため。ゲームコンテンツ等を進行する場合、使い勝手が悪い。そこで、ゲームコンテンツ等の進行にあたっては、固有入力装置に代えて、キー等の形状、数及び配置がゲームコンテンツ等に適合する専用の入力装置を用いることが要請されている。
【０００４】
しかしながら、ゲームコンテンツ等は、様々なメーカの装置対（コンテンツ提示装置と固有入力装置との対）におけるコンテンツ提示装置により提示される必要がある。装置対は、一般に、同一のメーカから提供される。そのため、一の装置対のメーカと他の装置対のメーカとが異なれば、固有入力装置における固有操作入力部の操作に応じて固有入力装置から送信される操作信号の仕様が同一でないのが一般的である。そのため、専用の入力装置に操作信号の形態（波形）を予め登録しておくことは困難である。
【０００５】
かかる要請に応えるために適用可能な技術として、固有入力装置から送信されるキー等に対応する操作信号の形態を、専用の入力装置に配置されたキー等ごとに登録可能とする登録可能入力装置（学習リモコン）の技術がある（特許文献１，２参照；以下、「従来例」という）。この従来例の技術を適用すれば、専用の入力装置におけるキー等による操作入力が行われた場合には、当該操作されたキー等に対応して登録されている形態（波形）、すなわち、操作対象のコンテンツ提示装置の仕様に適合する操作信号が、専用の入力装置から送信される。
【０００６】
なお、従来例の技術では、登録可能入力装置における登録対象となる個別のキー等（登録対象キー等）の指定をしたうえで、当該指定された登録対象キー等に対応する固有入力装置におけるキー等を利用者が操作して、当該操作されたキー等に対応する操作信号を、固有入力装置から送信させる（以下、「操作信号の送信」ともいう）。この操作信号を受信した登録可能入力装置では、当該受信した操作信号の形態を、登録対象として指定されたキー等に対応する操作信号の形態として内部の記憶部に登録する（以下、「信号形態の登録」ともいう）。以後、登録対象キー等を変更しつつ、登録対象キー等の指定、操作信号の送信及び信号形態の登録を繰り返すようになっている。
【先行技術文献】
【特許文献】
【０００７】
【特許文献１】特開２００９−２９０５２１号公報
【特許文献２】特開昭６２−２５４５９６号公報
【発明の概要】
【発明が解決しようとする課題】
【０００８】
上述した従来例の技術を適用した登録可能入力装置への信号形態の登録に際しては、操作信号の送信の際に、利用者が、操作すべきキー等を間違える場合がある。また、操作信号の送信の際の周囲環境により、無視できないノイズが混入した信号形態が、登録可能入力装置の記憶部に登録されてしまう場合もある。こうした場合には、登録可能入力装置における登録対象のキー等に対応する信号形態の誤登録が発生する。
【０００９】
しかしながら、従来例には、こうした誤登録の防止に関する対策について何等の提案もされていない。このため、従来例を適用して、登録可能入力装置への信号形態の登録を行った場合、その後の実使用の際に誤登録が判明することになる。しかも、実使用の際に、一の信号形態が判明したとしても、誤登録が当該一の信号形態以外にないことは保証されない。この結果、実使用の際に、一の信号形態が判明した場合には、登録対象のキー等の全てについて、信号形態の再登録をせざるを得ない。
【００１０】
本発明は、上記の事情を鑑みてなされたものであり、実使用前の登録処理の完了後には、登録可能入力装置への信号形態の登録の正当性が保証することができ、その旨を利用者に知らせることができるコンテンツ提示システムを提供することを目的とする。
【００１１】
また、本発明は、実使用前の登録処理の完了後には、登録可能入力装置への信号形態の登録の正当性を保証することができ、その旨を利用者に知らせることができる登録方法を提供することを目的とする。
【課題を解決するための手段】
【００１２】
第１の手段であるコンテンツ提示システムは、  コンテンツ提示装置と、少なくとも１つの個別操作入力部に対応して、前記個別操作入力部が操作された場合を含む送信信号の形態を登録可能な登録可能入力装置と、前記コンテンツ提示装置に対応して用意され、前記少なくとも１つの個別操作入力部のそれぞれに対応する固有個別操作入力部を有する固有入力装置と、を備えるコンテンツ提示システムであって、前記コンテンツ提示装置は、コンテンツの提示を行うとともに、前記登録可能入力装置又は前記固有入力装置から送信される操作信号とは異なる物理態様で、登録可能入力装置及び利用者に対する報知を行うコンテンツ提示部と、前記操作信号に基づいて、前記コンテンツ提示部を制御する第１処理制御部と、を備え、前記登録可能入力装置は、前記少なくとも１つの個別操作入力部を有する操作入力部と、前記少なくとも１つの個別操作入力部のそれぞれについて、操作された場合に送信すべき信号形態が登録される登録信号形態保持部と、前記信号形態の登録処理を行う第２処理制御部と、を備え、前記第２処理制御部は、前記コンテンツ提示部から送信された報知出力信号により指定された個別操作入力部に対応する固有個別操作入力部が操作された結果として、前記固有入力装置から送信された信号の形態の信号の前記コンテンツ提示装置への送信を制御する第１制御処理を実行し、前記第１処理制御部は、前記報知出力信号の送信とは異なる態様で利用者に対して操作指定した固有個別操作入力部が操作された場合の操作信号の形態と、前記報知出力信号に対応して前記登録可能入力装置から送信された操作信号の形態とを比較して認証を行い、認証結果を含む前記報知出力信号の前記登録可能入力装置への送信、及び、前記報知出力信号の送信とは異なる態様での利用者に対する前記認証結果の報知を制御する第２制御処理を実行し、前記第２処理制御部は、前記コンテンツ提示装置から、肯定的な認証結果を含む報知出力信号を受信した場合に、前記固有入力装置から送信された信号の形態を確定的に登録する第３制御処理を実行する、ことを特徴とするコンテンツ提示システムである。
【００１３】
この場合、前記第１処理制御部が、個々の個別操作入力部ごとに前記認証を行うようにしてもよいし、前記第１処理制御部が、信号形態が新たに登録されるべき全ての個別操作入力部について、一括して前記認証を行うようにしてもよい。
【００１４】
また、これらのコンテンツ提示システムでは、前記認証結果が否定的であった場合には、前記認証結果が否定的であった信号形態について、前記第１処理制御部による認証の結果が肯定的となるまで、前記第１制御処理及び前記第２制御処理が繰り返される、構成とすることができる。
【００１５】
また、これらのコンテンツ提示システムでは、前記コンテンツ提示装置により提示されるコンテンツを、前記登録可能入力装置又は前記固有入力装置への操作入力に応じて進行するゲームコンテンツとすることができる。
【００１６】
また、これらのコンテンツ提示システムでは、前記操作信号が赤外線無線信号であり、前記報知出力信号が音響信号である、構成とすることができる。この場合の音響信号は、可聴音信号及び／又は音透かし信号である。
【００１７】
また、これらのコンテンツ提示システムでは、前記コンテンツ提示部が、音声の出力及び画像表示の少なくとも一方の態様で、前記利用者への報知を行う、構成とすることができる。
【００１８】
第２の手段である登録方法は、コンテンツ提示装置と、少なくとも１つの個別操作入力部に対応して、前記個別操作入力部が操作された場合を含む送信信号の形態を登録可能な登録可能入力装置と、前記コンテンツ提示装置に対応して用意され、前記少なくとも１つの個別操作入力部のそれぞれに対応する固有個別操作入力部を有する固有入力装置と、を備えるコンテンツ提示システムにおいて使用される登録可能入力装置の個別操作入力部に応じた信号形態の登録方法であって、前記登録可能入力装置が、前記登録可能入力装置又は前記固有入力装置から送信される操作信号とは異なる物理態様で、前記コンテンツ提示装置から送信された報知出力信号により指定された個別操作入力部に対応する固有個別操作入力部が操作されて、前記固有個別操作入力部から送信された信号の形態の信号の前記コンテンツ提示装置への送信を制御する第１制御処理工程と、前記コンテンツ提示装置が、前記報知出力信号の送信とは異なる態様で利用者に対して操作指定した固有個別操作入力部が操作された場合の操作信号の形態と、前記報知出力信号に対応して前記登録可能入力装置から送信された操作信号の形態とを比較して認証を行い、認証結果を含む前記報知出力信号の前記登録可能入力装置への送信、及び、前記報知出力信号の送信とは異なる態様での利用者に対する前記認証結果の報知を制御する第２制御処理工程と、前記登録可能入力装置が、前記固有入力装置から送信された信号の形態を確定的に登録する第３制御処理工程と、を備えることを特徴とする登録方法である。
【発明の効果】
【００１９】
本発明のコンテンツ提示システムでは、コンテンツ提示装置の第１処理制御部が、コンテンツの提示に際して登録可能入力装置における個別操作入力部が操作された場合の送信信号の形態の登録が必要な場合には、コンテンツ提示装置のコンテンツ提示部を利用して、登録可能入力装置に対して登録対象とする個別操作入力部を指定する報知出力信号を送信する。また、第１処理制御部が、コンテンツ提示装置のコンテンツ提示部を利用して、固有入力装置における操作すべき固有個別操作入力部の指定を、報知出力信号の送信とは異なる態様で利用者に対して報知する。
【００２０】
次に、登録可能入力装置の第２処理制御部が、報知出力信号により指定された個別操作入力部に対応する固有個別操作入力部が操作された結果として、固有入力装置から送信された信号の形態を、指定された個別操作入力部に対応する信号形態として登録信号形態保持部に仮登録した後、当該仮登録された形態の信号のコンテンツ提示装置への送信を制御する第１制御処理を実行する。引き続き、第１処理制御部が、利用者に対して操作指定した固有個別操作入力部が操作された場合の操作信号の形態と、報知出力信号に対応して登録可能入力装置から送信された操作信号の形態とを比較して認証を行う。そして、第１制御処理部が、認証結果を含む報知出力信号の登録可能入力装置への送信、及び、前記報知出力信号の送信とは異なる態様での利用者に対する前記認証結果の報知を制御する第２制御処理を実行する。
【００２１】
そして、コンテンツ提示装置から肯定的な認証結果を含む報知出力信号を受信した場合に、第２処理制御部が、仮登録を本登録に変更する第３制御処理を実行する。なお、第１処理制御部による認証の結果が否定的であった場合には、上述の手順の少なくとも一部が繰り返される。
【００２２】
したがって、本発明のコンテンツ提示システムによれば、実使用前の登録処理の完了後には、登録可能入力装置への信号形態の登録の正当性を保証することができ、その旨を利用者に知らせることができる。
【００２３】
本発明のコンテンツ提示システムでは、第１処理制御部が、個々の個別操作入力部ごとに認証を行う構成とした場合には、個々の個別操作入力部に対応する信号形態の登録の正当性を保証することができ、その旨を利用者に知らせることができる。
【００２４】
また、本発明のコンテンツ提示システムでは、第１処理制御部が、信号形態が新たに登録されるべき全ての個別操作入力部について、一括して認証を行う構成とした場合には、利用者への信号形態の登録の正当性の報知回数を少なくすることができる。
【００２５】
また、本発明のコンテンツ提示システムでは、認証結果が否定的であった場合には、認証結果が否定的であった信号形態について、第１処理制御部による認証の結果が肯定的となるまで、第１制御処理及び第２制御処理が繰り返される構成とした場合には、信号形態の登録のための全手順を繰り返すことなく、効率的に、信号形態の登録を行うことができる。
【００２６】
また、本発明のコンテンツ提示システムでは、操作信号が赤外線無線信号であり、報知出力信号が音響信号である構成とした場合には、簡易な構成で、実使用前の登録処理の完了後には、登録可能入力装置への信号形態の登録の正当性を保証することができ、その旨を利用者に知らせることができる。
【００２７】
本発明の登録方法では、コンテンツの提示に際して登録可能入力装置における個別操作入力部が操作された場合の送信信号の形態の登録が必要な場合には、コンテンツ提示装置が、登録可能入力装置に対して登録対象とする個別操作入力部を指定する報知出力信号を送信する。また、コンテンツ提示装置が、コンテンツ提示装置のコンテンツ提示部を利用して、固有入力装置における操作すべき固有個別操作入力部の指定を、報知出力信号の送信とは異なる態様で利用者に対して報知する。
【００２８】
次に、登録可能入力装置が、報知出力信号により指定された個別操作入力部に対応する固有個別操作入力部が操作された結果として、固有入力装置から送信された信号の形態を、指定された個別操作入力部に対応する信号形態として内部に仮登録した後、当該仮登録された形態の信号のコンテンツ提示装置への送信を制御する。引き続き、コンテンツ提示装置が、利用者に対して操作指定した固有個別操作入力部が操作された場合の操作信号の形態と、報知出力信号に対応して登録可能入力装置から送信された操作信号の形態とを比較して認証を行う。そして、コンテンツ提示装置が、認証結果を含む報知出力信号の登録可能入力装置への送信、及び、報知出力信号の送信とは異なる態様での利用者に対する認証結果の報知を行う。
【００２９】
そして、コンテンツ提示装置から肯定的な認証結果を含む報知出力信号を受信した場合に、登録可能入力装置が、仮登録を本登録に変更する。なお、コンテンツ提示装置による認証の結果が否定的であった場合には、上述の手順の少なくとも一部が繰り返される。
【００３０】
したがって、本発明の登録方法によれば、実使用前の登録処理の完了後には、登録可能入力装置への信号形態の登録の正当性を保証することができ、その旨を利用者に知らせることができる。
【図面の簡単な説明】
【００３１】
【図１】本発明の一実施形態に係るコンテンツ提示システムの概略的な構成を示す図である。
【図２】図１のコンテンツ提示装置における処理制御装置の構成を説明するためのブロック図である。
【図３】図２の記憶ユニットに記憶される登録制御情報を説明するための図である。
【図４】図１の登録可能リモコンの構成を説明するためのブロック図である。
【図５】図４の記憶ユニットに記憶される登録情報を説明するための図である。
【図６】図１のコンテンツ提示システムの要素間で授受される主な信号を説明するためのシーケンス図である。
【図７】図２の処理制御ユニットにより実行される信号形態登録用処理を説明するためのフローチャートである。
【図８】図４の処理制御ユニットにより実行される信号形態登録用処理を説明するためのフローチャートである。
【発明を実施するための形態】
【００３２】
以下、本発明の一実施形態を、図１〜図８を参照して説明する。なお、以下の説明及び図においては、同一の要素には同一の符号を付し、重複する説明を省略する。
【００３３】
［構成］
図１には、一実施形態に係るコンテンツ提示システム１００の概略的な構成が示されている。図１に示されるように、コンテンツ提示システム１００は、コンテンツ提示装置２００と、固有入力装置としての固有リモコン３００と、登録可能入力装置としての登録可能リモコン４００とを備えている。
【００３４】
上記のコンテンツ提示装置２００は、コンテンツ提示部２１０と、処理制御装置２２０とを備えている。また、コンテンツ提示装置２００は、記録媒体読取装置２３０を備えている。
【００３５】
上記のコンテンツ提示部２１０は、表示ユニット２１１と、音出力ユニット２１２とを備えている。ここで、表示ユニット２１１は、液晶表示パネル等の表示デバイスを有しており、処理制御装置２２０による制御のもとで、表示デバイスに画像を表示する、また、音出力ユニット２１２は、スピーカ等の音出力デバイスを有しており、処理制御装置２２０による制御のもとで、報知音としての可聴音ＳＤＳや、報知出力信号としての音透かし信号ＳＴＳを出力する。
【００３６】
上記の処理制御装置２２０は、コンテンツ提示装置２００を統括制御する。なお、処理制御装置２２０の構成の詳細については、後述する。
【００３７】
上記の記録媒体読取装置２３０は、処理制御装置２２０による制御のもとで、装填されたＤＶＤ（Digital Versatile Disk）等の記録媒体からコンテンツを読み取る。記録媒体読取装置２３０による読取結果は、コンテンツデータＣＳＤとして、処理制御装置２２０へ送られる。
【００３８】
上記の固有リモコン３００は、コンテンツ提示装置２００に固有に付属している操作入力装置である。この固有リモコン３００には、固有個別操作入力部としてのキー等３１０j（ｊ＝１，２，…）が配置されている。そして、キー等３１０jのいずれかが操作されると、操作されたキー等に対応する信号形態の操作信号ＯＰ１が、固有リモコン３００から送信されるようになっている。ここで、本実施形態では、操作信号ＯＰ１は、赤外線無線信号となっている。
【００３９】
なお、処理制御装置２２０は、内部に、キー等３１０jのそれぞれと、操作信号ＯＰ１の信号形態との関係を保持している。このため、処理制御装置２２０は、固有リモコン３００からの操作信号ＯＰ１を受信した場合に、キー等３１０jのいずれが操作されたかを判別できるようになっている。
【００４０】
上記の登録可能リモコン４００は、コンテンツ提示装置２００により提示される特定コンテンツに対応する入力装置である。この登録可能リモコン４００には、個別入力操作部としてのキー等４６０k（ｋ＝１，２，…）が配置されている。ここで、登録可能リモコン４００の全体形状、及び、キー等４６０kの配置位置は、対応する特定コンテンツに適合したものとなっている。以下、キー等４６０kを総称する場合には、「操作入力部４６０」と記すものとする。
【００４１】
なお、キー等４６０kの総数は、固有リモコン３００に配置されたキー等３１０jの総数以下となっており、キー等４６０kのそれぞれは、キー等３１０jのいずれかに対応するようになっている。
【００４２】
登録可能リモコン４００では、内部に、キー等４６０kのそれぞれに対応する赤外線無線信号の信号形態が登録可能となっている。そして、当該信号形態の登録後においては、キー等４６０kのいずれかが操作されると、操作されたキー等に対応するキー等３１０jのいずれかが操作された場合の信号形態と同様の信号形態の操作信号ＯＰ２が、登録可能リモコン４００から送信されるようになっている。
【００４３】
なお、登録可能リモコン４００の構成については、後述する。また、登録可能リモコン４００の内部への信号形態の登録処理は、処理制御装置２２０の主導のもとで、上述した可聴音ＳＤＳ、音透かし信号ＳＴＳ、操作信号ＯＰ１，ＯＰ２を利用して実行されるが、かかる信号形態の登録処理についても後述する。
【００４４】
＜処理制御装置２２０の構成＞
次に、上述した処理制御装置２２０の構成について説明する。
【００４５】
処理制御装置２２０は、図２に示されるように、処理制御ユニット２２１と、記憶ユニット２２２とを備えている。また、処理制御装置２２０は、操作信号受信部２２３を備えている。
【００４６】
上記の処理制御ユニット２２１は、中央処理装置（ＣＰＵ：Central Processing Unit）及び周辺回路を備えて構成されている。そして、処理制御ユニット２２１は、様々なプログラムを実行することにより、様々な機能を果たすようになっている。
【００４７】
こうした機能には、記録媒体読取装置２３０から送られたコンテンツデータＣＳＤの受信、及び、受信したコンテンツデータＣＳＤに含まれるゲーム等のコンテンツの進行処理、並びに、表示ユニット２１１への当該コンテンツの進行に応じた表示画像データＩＭＤの送信、音出力ユニット２１２への当該コンテンツの進行に応じた音声データＳＤＤの送信が含まれる。
【００４８】
なお、コンテンツの進行指令や切換指令は、固有リモコン３００から送信される操作信号ＯＰ１又は登録可能リモコン４００から送信される操作信号ＯＰ２により行われるようになっている。
【００４９】
また、登録可能リモコン４００に対応する記録媒体の記録媒体読取装置２３０による読取結果として、記録媒体読取装置２３０から送られたコンテンツデータＣＳＤに信号形態登録用情報が含まれ、かつ、信号形態の登録処理の開始指令がなされた場合には、処理制御ユニット２２１は、信号形態登録用処理を実行する。かかる処理制御ユニット２２１により実行される信号形態登録用処理の詳細については、後述する。
【００５０】
なお、信号形態登録用処理に際して、処理制御ユニット２２１は、表示画像データＩＭＤの送信、音出力ユニット２１２への音声データＳＤＤの送信に加えて、音出力ユニット２１２への音透かしデータＳＴＤの送信も行うようになっている。また、信号形態の登録処理の開始指令は、固有リモコン３００からの操作信号ＯＰ１により行われるようになっている。ここで、本実施形態では、信号形態登録用情報が含まれたコンテンツデータＣＳＤに基づいて表示された実行メニュー中の信号形態登録を、利用者が固有リモコン３００を操作して選択した結果として送信される操作信号ＯＰ１の発行が、処理制御ユニット２１１に対する信号形態の登録処理の開始指令となるようになっている。
【００５１】
上記の記憶ユニット２２２は、固定ディスク装置等の不揮発性の記憶デバイスを備えて構成されている。この記憶ユニット２２２は、処理制御ユニット２２１がアクセス可能となっている。
【００５２】
記憶ユニット２２２には、処理制御装置２２０で利用される様々な情報データが記憶される。こうした情報データには、登録制御情報ＲＣＩが含まれている。なお、登録制御情報ＲＣＩの内容については、後述する。
【００５３】
上記の操作信号受信部２２３は、赤外線無線信号を電気信号に変換する赤外線受光器を備えて構成されている。操作信号受信部２２３は、固有リモコン３００からの操作信号ＯＰ１又は登録可能リモコンからの操作信号ＯＰ２を受信し、電気信号に変換する。こうして得られた電気信号は、処理制御ユニット２２１へ送られる。
【００５４】
＜登録制御情報ＲＣＩの内容＞
ここで、上述した登録制御情報ＲＣＩの内容について説明する。
【００５５】
登録制御情報ＲＣＩは、図３に示されるように、登録可能リモコン４００のキー等４６０k（ｋ＝１，２，…）のそれぞれと、対応する固有リモコンのキー等、及び、登録されるべき信号形態＃ｋ（すなわち、対応する固有リモコンのキー等が操作された場合における操作信号ＯＰ１の信号形態）とが関連付けられた情報である。ここで、登録可能リモコン４００のキー等４６０k（ｋ＝１，２，…）のそれぞれと、対応する固有リモコンのキー等との関連付けは、登録可能リモコン４００に対応する記録媒体の読取結果として、記録媒体読取装置２３０から送られたコンテンツデータＣＳＤに含まれる信号形態登録用情報において指定される。また、登録されるべき信号形態＃ｋは、処理制御装置２２０の内部（より詳しくは、記憶ユニット２２２内）に元々保持されているキー等３１０jのそれぞれと信号形態との関係とにより定められる。
【００５６】
かかる登録制御情報ＲＣＩは、信号形態の登録処理の開始指令に応じて、当該指定及び当該関係に基づいて、処理制御ユニット２２１により作成される。そして、処理制御ユニット２２１が、作成された登録制御情報ＲＣＩを記憶ユニット２２２内に格納するようになっている。
【００５７】
＜登録可能リモコン４００の構成＞
次いで、登録可能リモコン４００の構成について説明する。
【００５８】
登録可能リモコン４００は、図４に示されるように、上述した操作入力部４６０に加えて、処理制御ユニット４１０と、記憶ユニット４２０とを備えている。また、登録可能リモコン４００は、報知出力信号受信部４３０と、操作信号受信部４４０と、操作信号送信部４５０とを備えている。
【００５９】
上記の処理制御ユニット４１０は、ＣＰＵ及び周辺回路を備えて構成されている。そして、処理制御ユニット４１０は、プログラムを実行することにより、登録可能リモコン４００の全体を統括制御する。
【００６０】
上記の記憶ユニット４２０は、不揮発性の記憶素子を備えて構成されている。この記憶ユニット４２０は、登録可能リモコン４００において利用される様々な情報データを記憶する。記憶ユニット４２０には、処理制御ユニット４１０がアクセス可能となっている。
【００６１】
記憶ユニット４２０に記憶される情報データには、登録情報ＲＧＩが含まれている。この登録情報ＲＧＩの内容については、後述する。
【００６２】
上記の報知出力信号受信部４３０は、音透かし信号をデジタル電気信号に変換する変換部を備えて構成されている。この報知出力信号受信部４３０は、コンテンツ提示装置２００（より詳しくは、音出力ユニット２１２）から送信された報知出力信号としての音透かし信号ＳＴＳを受信し、デジタル電気信号に変換する。こうした得られたデジタル電気信号は、処理制御ユニット４１０へ送られる。
【００６３】
上記の操作信号受信部４４０は、赤外線無線信号を電気信号に変換する赤外線受光器を備えて構成されている。操作信号受信部４４０は、固有リモコン３００から送信された操作信号ＯＰ１を受信し、電気信号に変換する。こうして得られた電気信号は、処理制御ユニット４１０へ送られる。
【００６４】
上記の操作信号送信部４５０は、電気信号を赤外線無線信号に変換する赤外線送光器を備えて構成されている。この操作信号送信部４５０は、処理制御ユニット４１０から送られた電気信号の態様の操作信号を受ける。そして、操作信号送信部４５０は、当該電気信号の態様の操作信号を赤外線無線信号に変換し、操作信号ＯＰ２として送信する。
【００６５】
なお、処理制御ユニット４１０により実行される信号形態登録用処理の詳細については、後述する。
【００６６】
＜登録情報ＲＧＩの内容＞
ここで、上述した登録情報ＲＧＩの内容について説明する。
【００６７】
登録情報ＲＧＩは、図５に示されるように、登録可能リモコン４００のキー等４６０k（ｋ＝１，２，…）のそれぞれと、対応する信号形態＃ｋ’とが関連付けられた情報である。ここで、上述した処理制御装置２２０の主導のもとで行われる登録処理が完了した場合には、上述した登録制御情報における信号形態＃ｋと信号形態＃ｋ’とが同一の信号形態となる。そして、信号形態の登録の完了後に、キー等４６０kのいずれかが操作されると、信号形態＃ｋの操作信号ＯＰ２が、登録可能リモコン４００から送信されるようになる。
【００６８】
［動作］
次に、上記のように構成されたコンテンツ提示システム１００の動作について、コンテンツ提示装置２００における処理制御ユニット２１１が実行する信号形態登録用処理、及び、登録可能リモコン４００における処理制御ユニット４１０が実行する信号形態登録用処理に主に着目して説明する。
【００６９】
これらの信号形態登録用処理の説明に先立って、コンテンツ提示システム１００の各要素に利用者を含めた相互間で授受される主な信号等について、図６を参照して説明する。なお、信号形態の登録処理の開始指令は既に行われ、かつ、登録制御情報ＲＣＩの作成は既に完了しているものとする。
【００７０】
信号形態の登録処理に際しては、まず、コンテンツ提示装置２００（より詳しくは、音出力ユニット２１２）が、音透かし信号ＳＴＳによる報知出力信号を出力することにより、登録対象のキー等の指定を、登録可能リモコン３００に報知する。また、コンテンツ提示装置２００が、可聴音ＳＤＳにより、登録可能リモコン３００における登録対象のキー等に対応する固有リモコンのキー等の指定を利用者に報知する。また、なお、本実施形態では、登録対象のキー等に対応する固有リモコンのキー等の指定に際しては、表示ユニット２１１における画像表示による報知を併せて行うようになっている。
【００７１】
固有リモコン３００のキー等の指定の報知を受けた利用者が、指定された固有リモコン３００のキー等を操作すると、操作されたキー等に対応する信号形態の操作信号ＯＰ１が、固有リモコン３００から送信される。
【００７２】
当該操作信号ＯＰ１を受信すると、登録可能リモコン３００では、当該操作信号ＯＰ１の信号形態を、登録対象キー等に対応する信号形態として、登録情報ＲＧＩ内に仮登録する。引き続き、当該仮登録された信号形態の操作信号ＯＰ２が、登録可能リモコン３００から送信される。
【００７３】
当該操作信号ＯＰ２を受信すると、コンテンツ提示装置２００（より詳しくは、処理制御装置２２０）は、当該操作信号ＯＰ２の信号形態と、先に指定した固有リモコンのキー等に対応して登録制御情報ＲＣＩ内に示されている信号形態との同一性の認証を行う。そして、コンテンツ提示装置２００（より詳しくは、音出力ユニット２１２）は、認証結果を、音透かし信号ＳＴＳによる報知出力信号により、登録可能リモコン３００に報知する。また、コンテンツ提示装置２００は、可聴音ＳＤＳにより、認証結果を利用者に報知する。
【００７４】
＜処理制御ユニット２１１が実行する信号形態登録用処理＞
次に、処理制御ユニット２２１が実行する信号形態登録用処理について説明する。かかる信号形態登録用処理は、上述したようにして、信号形態の登録処理の開始指令がなされると、開始する。
【００７５】
当該信号形態登録用処理に際しては、図７に示されるように、まず、ステップＳ１１において、処理制御ユニット２２１が、上述したようにして、登録制御情報ＲＣＩを作成した後、音出力ユニット２１２を利用して、登録可能リモコン４００に対して、音透かし信号ＳＴＳにより、登録開始を報知する。また、処理制御ユニット２２１は、利用者に対して、表示ユニット２１１を利用した画像表示、及び、音出力ユニット２１２を利用した可聴音ＳＤＳの送信により、登録開始を報知する。
【００７６】
次に、ステップＳ１２において、処理制御ユニット２２１が、最初の登録対象キー等の設定を行う。かかる設定に際して、処理制御ユニット２２１は、登録制御情報ＲＣＩにおいて最初に列挙されている登録可能リモコン４００のキー等を最初の登録対象キー等に設定するとともに、当該最初の登録対象キー等に対応する固有リモコン３００のキー等を特定する。
【００７７】
引き続き、ステップＳ１３において、処理制御ユニット２２１が、音出力ユニット２１２を利用して、登録可能リモコン４００に対して、音透かし信号ＳＴＳにより、設定されている登録対象キー等を報知する。また、処理制御ユニット２２１は、利用者に対して、表示ユニット２１１を利用した画像表示、及び、音出力ユニット２１２を利用した可聴音ＳＤＳの送信により、当該登録対象キーに対応して特定されたキー等を報知する。
【００７８】
次いで、ステップＳ１４において、処理制御ユニット２２１が、登録可能リモコン４００から送信された操作信号ＯＰ２を受信されたか否かを判定する。ステップＳ１４における判定結果は否定的であった場合（ステップＳ１４：Ｎ）には、ステップＳ１４の処理が繰り返される。
【００７９】
操作信号ＯＰ２を受信し、ステップＳ１４における判定結果が肯定的となると（ステップＳ１４：Ｙ）、処理はステップＳ１５へ進む。なお、本実施形態では、操作信号ＯＰ２を受信しないまま所定時間を経過した場合にも、処理はステップＳ１５へ進む。
【００８０】
ステップＳ１５では、処理制御ユニット２２１が、認証処理を行う。かかる認証処理に際して、処理制御ユニット２２１は、受信した操作信号ＯＰ２の信号形態と、登録制御情報ＲＣＩにおいて、設定されている登録対象キー等に応じて登録されるべきとされている信号形態との同一性に基づいて認証を行う。
【００８１】
ここで、当該同一性が有る場合には、認証結果が肯定的であると判断される。一方、当該同一性が無い場合には、認証結果が否定的であると判断される。なお、操作信号ＯＰ２を受信しないまま所定時間を経過した場合にも、認証結果が否定的であると判断する。
【００８２】
次に、ステップＳ１６において、処理制御ユニット２２１が、音出力ユニット２１２を利用して、登録可能リモコン４００に対して、音透かし信号ＳＴＳにより、認証結果を報知する。また、処理制御ユニット２２１は、利用者に対して、表示ユニット２１１を利用した画像表示、及び、音出力ユニット２１２を利用した可聴音ＳＤＳの送信により、認証結果を報知する。
【００８３】
引き続き、ステップＳ１７において、処理制御ユニット２２１が、設定されている登録対象キー等に関する認証結果が肯定的であったか否かを判定する。ステップＳ１７における判定の結果が否定的であった場合（ステップＳ１７：Ｎ）には、処理はステップＳ１３へ戻る。以後、ステップＳ１７における判定の結果が肯定的となるまで、ステップＳ１３〜Ｓ１７の処理が繰り返される。
【００８４】
ステップＳ１７における判定の結果が肯定であった場合（ステップＳ１７：Ｙ）には、処理はステップＳ１８へ進む。このステップＳ１８では、処理制御ユニット２２１が、全ての登録対象キー等に関する認証結果が肯定的となったか否かを判定することにより、全ての登録対象キー等に関する信号形態の登録が完了したか否かを判定する。
【００８５】
ステップＳ１８における判定の結果が否定的であった場合（ステップＳ１８：Ｎ）には、処理はステップＳ１９へ進む。このステップＳ１９では、処理制御ユニット２２１が、次の登録対象キー等の設定を行う。かかる設定に際して、処理制御ユニット２２１は、登録制御情報ＲＣＩにおいて現時点で設定されている登録対象キー等の次に列挙されている登録可能リモコン４００のキー等を次の登録対象キー等に設定するとともに、当該次の登録対象キー等に対応する固有リモコン３００のキー等を特定する。
【００８６】
ステップＳ１９の処理が終了すると、処理はステップＳ１３へ戻る。そして、ステップＳ１８における判定の結果が肯定的となるまで、ステップＳ１３〜Ｓ１９の処理が繰り返される。
【００８７】
ステップＳ１８における判定の結果が肯定的となると（ステップＳ１８：Ｙ）、処理はステップＳ２０へ進む。このステップＳ２０では、処理制御ユニット２２１が、音出力ユニット２１２を利用して、登録可能リモコン４００に対して、音透かし信号ＳＴＳにより、登録完了を報知する。また、処理制御ユニット２２１は、利用者に対して、表示ユニット２１１を利用した画像表示、及び、音出力ユニット２１２を利用した可聴音ＳＤＳの送信により、登録完了を報知する。そして、ステップＳ２０の処理が終了すると、処理制御ユニット２１１が実行する信号形態登録用処理が終了する。
【００８８】
＜処理制御ユニット４１０が実行する信号形態登録用処理＞
次に、処理制御ユニット４１０が実行する信号形態登録用処理について説明する。
【００８９】
かかる信号形態登録用処理に際しては、図８に示されるように、まず、ステップＳ２１において、処理制御ユニット４１０が、コンテンツ提示装置２００（より詳しくは、音出力ユニット２１２）から送信された音透かし信号ＳＴＳによる登録開始の報知を受けたか否かを判定する。ステップＳ２１における判定の結果が否定的であった場合（ステップＳ２１：Ｎ）には、ステップＳ２１の処理が繰り返される。
【００９０】
登録開始の報知を受け、ステップＳ２１における判定の結果が肯定的となると（ステップＳ２１：Ｙ）、処理はステップＳ２２へ進む。このステップＳ２２では、処理制御ユニット４１０が、コンテンツ提示装置２００から送信された音透かし信号ＳＴＳによる登録完了の報知を受信したか否かを判定する。ステップＳ２２における判定の結果が否定的であった場合（ステップＳ２２：Ｎ）には、処理はステップＳ２３へ進む。
【００９１】
ステップＳ２３では、処理制御ユニット４１０が、コンテンツ提示装置２００から送信された音透かし信号ＳＴＳによる登録対象キー等の指定の報知を受信したか否かを判定する。ステップＳ２３における判定の結果が否定的であった場合（ステップＳ２３：Ｎ）には、処理はステップＳ２２へ戻る。そして、ステップＳ２２又はステップＳ２３における判定の結果が肯定的となるまで、ステップＳ２２，Ｓ２３の処理が繰り返される。
【００９２】
ステップＳ２３における判定の結果が肯定的であった場合（ステップＳ２３：Ｙ）には、処理はステップＳ２４へ進む。このステップＳ２４では、処理制御ユニット４１０が、固有リモコン３００から送信された操作信号ＯＰ１を受信したか否かを判定する。
【００９３】
ステップＳ２４における判定の結果が否定的であった場合（ステップＳ２４：Ｎ）には、ステップＳ２４の処理が繰り返される。なお、図示を省略しているが、ステップＳ２４の処理の開始から所定時間が経過しても操作信号ＯＰ１を受信できなかった場合には、処理は、後述するステップＳ２７へ進むようになっている。
【００９４】
操作信号ＯＰ１を受信し、ステップＳ２４における判定の結果が肯定的となると（ステップＳ２４：Ｙ）、処理はステップＳ２５へ進む。このステップＳ２５では、処理制御ユニット４１０が、受信した操作信号ＯＰ１の信号形態を、登録情報ＲＧＩにおける登録対象キー等に対応する信号形態として仮登録する仮登録処理を行う。
【００９５】
次に、ステップＳ２６において、処理制御ユニット４１０が、操作信号送信部４５０を利用して、仮登録された信号形態の操作信号ＯＰ２を送信する。引き続き、ステップＳ２７において、処理制御ユニット４１０が、音透かし信号ＳＴＳによる認証結果の報知を受信したか否かを判定する。ステップＳ２７における判定の結果が否定的であった場合（ステップＳ２７：Ｎ）には、ステップＳ２７の処理が繰り返される。
【００９６】
認証結果の報知を受信し、ステップＳ２７における判定の結果が肯定的となると（ステップＳ２７：Ｙ）、処理はステップＳ２８へ進む。このステップＳ２８では、処理制御ユニット４１０が、受信した認証結果が肯定的であったか否かを判定する。
【００９７】
ステップＳ２８における判定の結果が否定的であった場合（ステップＳ２８：Ｎ）には、処理はステップＳ２９へ進む。このステップＳ２９では、処理制御ユニット４１０が、上述したステップＳ２５で行った仮登録を解消する。そして、処理はステップＳ２２へ戻る。以後、ステップＳ２２又はステップＳ２８における判定の結果が肯定的となるまで、ステップＳ２２〜Ｓ２９の処理が繰り返される。
【００９８】
一方、ステップＳ２８における判定の結果が肯定的であった場合（ステップＳ２８：Ｙ）には、処理はステップＳ３０へ進む。このステップＳ３０では、処理制御ユニット４１０が、上述したステップＳ２５で行った仮登録を本登録に変更する本登録処理を行う。そして、処理はステップＳ２２へ戻る。
【００９９】
以後、ステップＳ２２における判定の結果が肯定的となるまで、ステップＳ２２〜Ｓ３０の処理が繰り返される。そして、ステップＳ２２の処理が肯定的となると、処理制御ユニット４１０が実行する今回の信号形態登録用処理が終了し、処理はステップＳ２１に戻り、次回の信号形態の登録に備える。
【０１００】
以上のようにして、今回の信号形態の登録処理が終了すると、登録可能リモコン４００の操作によるコンテンツ提示装置２００に対する操作入力が可能となる。
【０１０１】
以上説明したように、コンテンツの提示に際して登録可能リモコン４００におけるキー等４６０kが操作された場合の送信信号である操作信号ＯＰ１の信号形態の登録が必要な場合には、コンテンツ提示装置２００が、登録可能リモコン４００に対して、登録対象キー等を指定する報知出力信号を音透かし信号ＳＴＳにより送信する。また、コンテンツ提示装置２００が、登録対象キー等に対応する固有入力リモコン３００におけるキー等の指定を、報知出力信号の送信とは異なる態様で、利用者に対して報知する。
【０１０２】
次に、登録可能リモコン３００が、登録対象キー等に対応する固有リモコン３００のキー等が操作された結果として、固有リモコン３００から送信された操作信号ＯＰ１の信号形態を、登録対象キー等に対応する信号形態として、内部の登録情報ＲＧＩに仮登録した後、当該仮登録された信号形態の操作信号ＯＰ２をコンテンツ提示装置２００へ送信する。引き続き、コンテンツ提示装置２００が、利用者に対して指定したキー等が操作された場合の操作信号ＯＰ１の信号形態と、操作信号ＯＰ２の信号形態とを比較して認証を行う。そして、コンテンツ提示装置２００が、認証結果を含む音透かし信号ＳＴＳの登録可能リモコンへの送信、及び、音透かし信号ＳＴＳの送信とは異なる態様での利用者に対する認証結果の報知を行う。
【０１０３】
そして、コンテンツ提示装置２００から肯定的な認証結果を含む音透かし信号ＳＴＳを受信した場合に、登録可能リモコン４００が、仮登録を本登録に変更する。なお、コンテンツ提示装置２００による認証の結果が否定的であった場合には、上述の手順の少なくとも一部が繰り返される。
【０１０４】
したがって、本実施形態によれば、実使用前の登録処理の完了後には、登録可能リモコン３００への信号形態の登録の正当性を保証することができ、その旨を利用者に知らせることができる。
【０１０５】
本実施形態では、コンテンツ提示装置２２０が、個々の登録対象キー等ごとに認証を行う。このため、個々の登録対象キー等ごとに、に対応する信号形態の登録の正当性を保証することができ、その旨を利用者に知らせることができる。
【０１０６】
本実施形態では、操作信号ＯＰ１，ＯＰ２を赤外線無線信号とし、報知出力信号を音透かし信号ＳＴＳとした。このため、簡易な構成で、実使用前の登録処理の完了後には、登録可能リモコン４００への信号形態の登録の正当性を保証することができ、その旨を利用者に知らせることができる
【０１０７】
［他の実施形態］
上記実施形態では、登録可能リモコン３００が固有リモコン３００から送信された操作信号ＯＰ１の信号形態をそのままの形でコンテンツ提示装置２２０に送信したが、最初に、登録可能リモコン３００が固有リモコン３００の例えば決定キーに対応する信号形態を上記の手順で登録しておき、その後、登録可能リモコン３００が固有リモコン３００から送信された他の操作信号ＯＰ１（例えば上下左右キー等）に対応する信号をコンテンツ提示装置２２０に送信する際に、コンテンツ提示装置２２０の要求又は登録可能リモコン３００の１つのキー等の操作に応じて、上記決定キーに対応する信号と紐付けて赤外線無線信号として送信するようにしてもよい。この場合、コンテンツ提示装置２２０は、上記決定キーに対応する信号の有無を確認するとともに、赤外線無線信号に含まれる前記他の操作信号を抽出して認証処理を行うことになる。なお、登録可能リモコン３００には、決定キー等に対応するキー等が存在していても存在しなくてもよい。
このようにすれば、次のような作用及び効果が得られる。すなわち、図７のステップＳ１３において、処理制御ユニット２２１が、登録可能リモコン４００に対して、音透かし信号ＳＴＳにより、設定されている登録対象キー等を報知した後、利用者が誤って固有リモコン３００のキー等を操作しコンテンツ提示装置２２０がその操作信号に対応する赤外線無線信号を受信したとしても、当該信号は登録可能リモコン３００から送信されたものでないことを確実に判別することができることになる。
なお、この登録可能リモコン３００を使用してコンテンツ提示装置２２０が実行するゲーム等を行う場合にも、同様に紐付けした信号形態の信号を送信することができる。
また、上記実施形態では、登録可能リモコン３００が固有リモコン３００から送信された操作信号ＯＰ１の信号の形態を１つずつ独立して登録するようにしたが、紐付けした信号形態を新たな１つの信号形態として登録することとしてもよい。このようにすれば、登録可能リモコン３００における、固有リモコン３００の上下左右キー等に対応する１つのキー等を操作するだけで、例えば、固有リモコン３００の上下左右キー等に対応する信号と固有リモコン３００の決定キー等に対応する信号とが同時にコンテンツ提示装置２２０に送信されることになるので、登録可能リモコン３００における、決定キー等に対応するキー等の操作を不要とすることができる。このことは、登録可能リモコン３００における、決定キー等に対応するキー等自体が不要となることを意味する。
【０１０８】
［実施形態の変形］
本発明は上記の実施形態に限定されるものではなく、様々な変形が可能である。
【０１０９】
例えば、上記の実施形態では、コンテンツ提示装置２２０が、個々の登録対象キー等ごとに認証を行うようにした。これに対し、コンテンツ提示装置２２０が、信号形態が新たに登録されるべき全ての登録対象キー等について、一括して認証を行うようにすることができる。こうした場合には、利用者への信号形態の登録の正当性の報知回数を少なくすることができる。
【０１１０】
この場合には、認証結果が否定的であった場合には、認証結果が否定的であった登録対象キー等について認証の結果が肯定的となるまで、登録処理を行うようにすることができる。この場合には全ての登録対象キーに対する信号形態の登録処理の全手順を繰り返すことなく、効率的に、信号形態の登録を行うことができる。
【０１１１】
また、上記の実施形態では、コンテンツ提示装置により提示されるコンテンツとして、操作入力に応じて進行するゲームコンテンツを例示した。これに対し、コンテンツ提示装置により提示されるコンテンツを、ゲームコンテンツ以外のコンテンツとしてもよい。
【０１１２】
また、上記の実施形態では、操作信号を赤外線無線信号であり、報知出力信号を音透かし信号とした。これに対し、操作信号と報知出力信号とが互いに物理態様が異なるようにすれば、他の物理態様の信号を、操作信号及び報知出力信号として採用してもよい。
【０１１３】
また、上記の実施形態では、表示画像及び可聴音により、利用者に対する報知を行うようにしたが、表示画像及び可聴音の一方により、利用者に対する報知を行うようにしてもよい。
【符号の説明】
【０１１４】
１００        コンテンツ提示システム
２００        コンテンツ提示装置
２１０        コンテンツ提示ユニット（コンテンツ提示部）
２２１        処理制御ユニット（第１処理制御部）
３００        固有リモコン（固有入力装置）
３０１j       キー等（固有個別操作入力部）
４００        登録可能リモコン（登録可能入力装置）
４１０        処理制御ユニット（第１処理制御部）
４２０        記憶ユニット（登録信号形態保持部）
４６０        操作入力部
４６０k       キー等（個別操作入力部）
【図１】
2019220749.tif 000003
【図２】
2019220749.tif 000004
【図３】
2019220749.tif 000005
【図４】
2019220749.tif 000006
【図５】
2019220749.tif 000007
【図６】
2019220749.tif 000008
【図７】
2019220749.tif 000009
【図８】
2019220749.tif 000010